(57)【要約】【課題】編集する磁気テープに記録されている画像データの内容を容易に確認可能な画像データ処理装置を提供する。【解決手段】磁気テープより通常再生用画像データと特殊再生用画像データとを再生し、外部の蓄積装置に出力する再生装置であって、蓄積装置からの画像内容取得コマンドに応じて磁気テープを始端位置まで搬送した後、始端位置より前記磁気テープを通常再生時よりも高速な所定速度で搬送しながら特殊再生用画像データを再生して蓄積装置に順次送信する再生装置。【選択図】図１
2007102944.tif 000002
【特許請求の範囲】
【請求項１】
磁気テープより通常再生用画像データと特殊再生用画像データとを再生し、外部の蓄積装置に出力する再生装置であって、
前記蓄積装置からの画像内容取得コマンドに応じて前記磁気テープを始端位置まで搬送した後、前記始端位置より前記磁気テープを通常再生時よりも高速な所定速度で搬送しながら前記特殊再生用画像データを再生して前記蓄積装置に送信する、ことを特徴とする再生装置。
【請求項２】
磁気テープより通常再生用画像データと特殊再生用画像データとを再生し、外部の蓄積装置に出力する再生装置であって、
前記蓄積装置からの画像内容取得コマンドに応じて前記磁気テープを終端位置まで搬送した後、前記終端位置より前記磁気テープを通常再生時よりも高速な所定速度で通常再生時とは逆方向に搬送しながら前記特殊再生用画像データを再生して前記蓄積装置に送信する、ことを特徴とする再生装置。
【請求項３】
前記特殊再生用画像データは、前記通常再生用画像データの一部の画面データを用いて生成され、
前記特殊再生用画像データの各画面データに対応する前記通常再生用画像データ中の画面データが記録されている前記磁気テープ上の記録位置を示す位置情報を前記磁気テープより再生し、前記特殊再生用画像データと共に前記蓄積装置に送信する、ことを特徴とする請求項１または２に記載の再生装置。
【請求項４】
前記蓄積装置よりの再生コマンドに応じて、前記再生開始位置から前記再生停止位置まで前記磁気テープを通常再生速度で搬送しながら前記通常再生用画像データを再生して前記蓄積装置に送信する、ことを特徴とする請求項３に記載の再生装置。
【請求項５】
前記所定速度で搬送される前記磁気テープより前記特殊再生用画像データの再生中に前記画像データが記録されていない未記録領域を検出した場合、前記所定速度よりも高速に前記磁気テープを搬送し、
その後前記画像データが記録されている記録領域を検出した場合、前記所定速度で前記磁気テープを搬送して前記特殊再生用画像データを再生する、ことを特徴とする請求項１または２に記載の再生装置。
【請求項６】
磁気テープより通常再生用画像データと特殊再生用画像データとを再生する再生装置により再生された画像データを受信する装置であって、
前記再生装置に対して画像内容取得コマンドを送信する送信手段と、
前記画像内容取得コマンドに応じて前記再生装置により磁気テープの始端より再生された前記特殊再生用画像データを受信する受信手段と、
前記受信手段により受信した特殊再生用画像データを蓄積する蓄積手段とを備える、ことを特徴とする画像データ処理装置。
【請求項７】
前記蓄積手段に蓄積された特殊再生用画像データを用いて複数のサムネイル画像を生成すると共に、複数の前記サムネイル画像からなるサムネイル一覧画面を生成する表示画像生成手段を備えた、ことを特徴とする請求項６に記載の画像データ処理装置。
【請求項８】
前記特殊再生用画像データは前記通常再生用画像データの一部の画面データを用いて生成され、
前記磁気テープには前記特殊再生用画像データの各画面データに対応する前記通常再生用画像データ中の前記画面データが記録されている前記磁気テープ上の記録位置を示す位置情報が前記特殊再生用画像データと共に記録され、
前記受信手段は、前記特殊再生用画像データと共に前記付加情報を受信し、
前記蓄積手段は、前記付加情報も蓄積する、ことを特徴とする請求項６に記載の画像データ処理装置。
【請求項９】
前記蓄積手段に蓄積された特殊再生用画像データを用いて複数のサムネイル画像を生成すると共に複数の前記サムネイル画像からなるサムネイル一覧画面を生成して表示装置に表示する表示画像生成手段と、
前記サムネイル一覧画面に表示されたサムネイル画像を指定することにより再生開始位置と再生停止位置の画面を指定する指定手段と、を更に備え、
前記送信手段は、前記画像内容取得コマンドと共に、前記指定手段により指定されたサムネイル画像に対応する前記付加情報を再生開始位置及び再生停止位置情報として前記再生装置に送信し、
前記受信手段は、前記画像内容取得コマンドに応じて前記磁気テープより再生された前記通常再生用画像データを前記再生装置より受信する、ことを特徴とする請求項８に記載の画像データ処理装置。
【請求項１０】
前記画像内容取得コマンドは、前記磁気テープが前記再生装置に装填された際に発行される、ことを特徴とする請求項１または２に記載の再生装置。
【請求項１１】
前記画像内容取得コマンドは、前記磁気テープが前記再生装置に装填された際に発行される、ことを特徴とする請求項６〜９のいずれかに記載の画像データ処理装置。
【請求項１２】
磁気テープより通常再生用画像データと特殊再生用画像データとを再生する再生装置と、再生された前記通常再生用画像データと特殊再生用画像データとを蓄積する蓄積装置と、を備える画像データ処理装置であって、
前記蓄積装置からの画像内容取得コマンドに応じて前記磁気テープを始端位置まで搬送した後、前記始端位置より前記磁気テープを通常再生時よりも高速な所定速度で搬送しながら前記特殊再生用画像データを再生して前記蓄積装置に蓄積する、ことを特徴とする画像データ処理装置。
【請求項１３】
磁気テープより通常再生用画像データと特殊再生用画像データとを再生し、蓄積装置に出力する画像データ処理装置であって、
前記蓄積装置からの画像内容取得コマンドに応じて前記磁気テープを終端位置まで搬送した後、前記終端位置より前記磁気テープを通常再生時よりも高速な所定速度で通常再生時とは逆方向に搬送しながら前記特殊再生用画像データを再生して前記蓄積装置に蓄積する、ことを特徴とする画像データ処理装置。
【請求項１４】
前記特殊再生用画像データは、前記通常再生用画像データの一部の画面データを用いて生成され、
前記特殊再生用画像データの各画面データに対応する前記通常再生用画像データ中の画面データが記録されている前記磁気テープ上の記録位置を示す位置情報を前記磁気テープより再生し、前記特殊再生用画像データと共に前記蓄積装置に送信する、ことを特徴とする請求項１２または１３に記載の画像データ処理装置。
【請求項１５】
前記蓄積装置よりの再生コマンドに応じて、前記再生開始位置から前記再生停止位置まで前記磁気テープを通常再生速度で搬送しながら前記通常再生用画像データを再生して前記蓄積装置に蓄積する、ことを特徴とする請求項１４に記載の画像データ処理装置。
【請求項１６】
前記所定速度で搬送される前記磁気テープより前記特殊再生用画像データの再生中に前記画像データが記録されていない未記録領域を検出した場合、前記所定速度よりも高速に前記磁気テープを搬送し、
その後前記画像データが記録されている記録領域を検出した場合、前記所定速度で前記磁気テープを搬送して前記特殊再生用画像データを再生する、ことを特徴とする請求項１２または１３に記載の画像データ処理装置。
【請求項１７】
磁気テープ走行手段と、
磁気テープに記録されたデジタル画像データを再生する再生手段と、備え、再生された前記デジタル画像データを外部の画像データ蓄積手段に出力する再生装置において、
前記磁気テープ走行手段は、画像内容取得コマンドを受けると前記磁気テープを所定位置まで第１の速度で走行させるとともに、前記磁気テープの所定位置からは前記磁気テープを第２の速度で走行させ、
前記再生手段は、前記第２の速度で走行する前記磁気テープから前記磁気テープに記録された特殊再生用のデジタル画像データを再生し、前記再生手段から再生された前記特殊再生用のデジタル画像データを順次前記外部の蓄積手段に送信する、ことを特徴とする画像データ処理装置。
【請求項１８】
磁気テープ走行手段と、
磁気テープに記録されたデジタル画像データを再生する再生手段と、を備え、再生された前記デジタル画像データを外部の画像データ蓄積手段に出力する再生装置において、
前記磁気テープ走行手段は、画像内容取得コマンドを受けると前記磁気テープを所定位置まで第１の速度で走行させ、
前記磁気テープに記録されたデジタル画像データを再生する再生手段は、前記第１の速度で走行する前記磁気テープから前記磁気テープに記録された特殊再生用のデジタル画像データを再生し、
前記磁気テープ走行手段は、前記磁気テープの所定位置からは前記磁気テープを第２の速度で走行させ、
前記再生手段は、前記第２の速度で走行する前記磁気テープから前記磁気テープに記録された前記特殊再生用のデジタル画像データを再生し、前記画像データ蓄積手段に順次蓄積する、ことを特徴とする再生装置。
【請求項１９】
磁気テープ走行手段と磁気テープに記録されたデジタル画像データを再生する再生手段とを備えた再生装置より再生された前記デジタル画像データを順次受信して蓄積する画像データ蓄積手段を備えた、画像データ処理装置において、
前記再生装置に画像内容取得コマンドを送信し、
前記再生装置が、受信した画像内容取得コマンドにしたがって前記磁気テープ走行手段に前記磁気テープを所定位置まで第１の速度で走行させるとともに、前記磁気テープの所定位置からは前記磁気テープを第２の速度で走行させ、
前記再生手段が前記第２の速度で走行する前記磁気テープから再生した前記特殊再生用のデジタル画像データを順次受信して前記画像データ蓄積手段に蓄積する、ことを特徴とする画像データ処理装置。
【請求項２０】
磁気テープ走行手段と磁気テープに記録されたデジタル画像データを再生する再生手段とを備えた再生装置より再生された前記デジタル画像データを順次受信して蓄積する画像データ蓄積手段を備えた、画像データ処理装置において、
前記再生装置に画像内容取得コマンドを送信し、
前記再生装置が、受信した画像内容取得コマンドにしたがって前記磁気テープ走行手段に前記磁気テープを所定位置まで第１の速度で走行させるとともに、前記再生手段に前記磁気テープに前記磁気テープに記録されたデジタル画像データを再生させ、
前記磁気テープ走行手段に前記磁気テープの所定位置からは前記磁気テープを第２の速度で走行させるとともに、前記再生手段に前記磁気テープに記録された前記特殊再生用のデジタル画像データを再生させ、前記第２の速度で走行する前記磁気テープより再生される前記特殊再生用のデジタル画像データを順次受信して前記画像データ蓄積手段に蓄積する、ことを特徴とする画像データ処理装置。
【請求項２１】
磁気テープより通常再生用画像データと特殊再生用画像データとを再生し、外部の蓄積装置に出力する再生方法であって、
前記蓄積装置からの画像内容取得コマンドを受信するステップと、
受信した画像内容取得コマンドに応じて前記磁気テープを始端位置まで搬送するステップと、
前記始端位置より前記磁気テープを通常再生時よりも高速な所定速度で搬送するステップと、
前記所定速度で搬送される前記磁気テープより前記特殊再生用画像データを再生するステップと、
前記再生された特殊再生用画像データを前記蓄積装置に送信するステップと、を備えたことを特徴とする再生方法。
【請求項２２】
磁気テープより通常再生用画像データと特殊再生用画像データとを再生し、外部の蓄積装置に出力する再生方法であって、
前記蓄積装置からの画像内容取得コマンドを受信するステップと、
受信した画像内容取得コマンドに応じて前記磁気テープを終端位置まで搬送するステップと、
前記終端位置より前記磁気テープを通常再生時よりも高速な所定速度で通常再生時とは逆方向に搬送するステップと、
前記逆方向に搬送される前記磁気テープより前記特殊再生用画像データを再生するステップと、
前記再生された特殊再生用画像データを前記蓄積装置に送信するステップと、を備えたことを特徴とする再生方法。
【請求項２３】
磁気テープより通常再生用画像データと特殊再生用画像データとを再生手段で再生し、再生された画像データを蓄積する画像データ処理方法であって、
前記再生手段に対して画像内容取得コマンドを送信するステップと、
前記画像内容取得コマンドに応じて前記再生手段により磁気テープの始端より再生された前記特殊再生用画像データを受信するステップと、
前記受信手段により受信した特殊再生用画像データを蓄積するステップとを備える、ことを特徴とする画像データ処理方法。
【請求項２４】
磁気テープより通常再生用画像データと特殊再生用画像データとを再生手段で再生し、再生された画像データを蓄積する画像データ処理方法であって、
前記再生手段に対して画像内容取得コマンドを送信するステップと、
前記画像内容取得コマンドに応じて前記磁気テープを終端位置まで搬送するステップと、
前記終端位置より前記磁気テープを通常再生時よりも高速な所定速度で通常再生時とは逆方向に搬送するステップと、
前記逆方向に搬送される前記磁気テープより前記特殊再生用画像データを再生するステップと、
前記再生された特殊再生用画像データを前記蓄積手段に順次蓄積するステップと、を備えたことを特徴とする画像データ処理方法。
【請求項２５】
前記請求項２１乃至２４のいずれかに記載された方法の各ステップを実行するためのプログラムが格納された記録媒体。
【発明の詳細な説明】
【技術分野】
【０００１】
本発明は、再生装置、画像データ処理装置、再生方法および画像データ処理方法に関し、特に外部の周辺機器として接続された画像データ再生装置より再生された画像データを取り込み、複数の画像データとして表示装置に表示する再生装置、画像データ処理装置、再生方法および画像データ処理方法に関する。
【背景技術】
【０００２】
従来、画像信号をデジタル画像データとして磁気テープに記録し、または再生するビデオカメラ一体型デジタル記録ビデオテープレコーダ（カメラ一体型ＤＶＴＲ）が知られている。この場合、通常磁気テープはテープカセットに収納されており、磁気テープの収納されたテープカセットをカメラ一体型ＤＶＴＲに装填してデジタル化された画像データの記録または再生を行う。
【０００３】
また近年では、カメラ一体型ＤＶＴＲとパーソナルコンピュータ（ＰＣ）とをＩＥＥＥ１３９４インターフェイスなどで接続し、カメラ一体型ＤＶＴＲで記録した画像データをカメラ一体型ＤＶＴＲで再生してＰＣに取り込んで処理することが行われている。
【０００４】
たとえば、ＰＣの編集用アプリケーションなどでカメラ一体型ＤＶＴＲを制御して磁気テープ上に記録された画像データを再生してＰＣに取り込み、編集することも行われている（例えば、特許文献１参照）。
【０００５】
画像信号をデジタル画像データとして磁気テープに記録する場合には、通常画像信号をＭＰＥＧ（Moving Picture Experts Group）方式などのフレーム間符号化方式を用いてデジタル符号化し、符号化された画像データをカメラ一体型ＤＶＴＲ、またはデジタル記録ビデオテープレコーダ（ＤＶＴＲ）で磁気テープに記録する。ここで、よく知られているように、ＭＰＥＧ方式では、画像データのフレーム間の差分をデジタル符号化している。従って、この差分画像データだけでは元の画像データに復号することができず、復号するために参照用のフレーム画像データが必要となる。
【０００６】
また、ＭＰＥＧ方式で符号化された画像データでは、各フレームのデータ量がまちまちであるため、磁気テープ上での各フレームのデータの記録位置も一定ではない。そのため、磁気テープの走行速度を記録時における走行速度より高速に走行させ、ＭＰＥＧ方式で符号化されて記録された画像データを高速再生する場合、回転磁気ヘッドはテープ上の傾斜磁気記録トラックを正確に走査することができない。すなわち、回転磁気ヘッドは磁気テープ上に記録されたデータを全て再生することができず、離散的にしか画像データを再生することができない。
【０００７】
そのため、フレーム間符号化された差分画像データと参照用フレームの画像データとが共に得られる可能性が非常に低くなり、高速再生時にはフレーム内符号化されたフレームの画像データのみしか復号が出来なくなる。従って、このままでは高速再生時に良好な再生画像を得ることが困難になる。
【０００８】
そこで、フレーム内符号化された画像データのみを用いた特殊再生用の画像データを生成し、通常の符号化画像データの記録領域とは別にこの特殊再生用の画像データを記録する記録領域を設けて記録することが提案されている。この場合、高速再生時に回転磁気ヘッドが走査する位置にこの特殊再生用の画像データを記録する記録領域を形成する。
【０００９】
この特殊再生用の画像データを磁気テープに記録することによって、高速再生時においてもこの特殊再生用の画像データの記録された記録領域を再生することによって、良好な再生画像信号を得ることが可能となる。
【特許文献１】特開２００２−２０８２６２号公報
【特許文献２】特開平９−２１４８８９号公報
【発明の開示】
【発明が解決しようとする課題】
【００１０】
ＰＣとカメラ一体型ＤＶＴＲ、または、据え置き型のデジタル記録ビデオテープレコーダ（ＤＶＴＲ）を接続して編集を行う場合を考える。この場合ユーザは磁気テープを高速に走行させながら画像を再生して記録内容を確認し、編集のためにＰＣに取り込む部分を指定する必要があり、操作が非常に煩雑で面倒なものであった。
【００１１】
本発明はこの様な問題を解決し、編集する磁気テープに記録されている画像データの内容を容易に確認可能な画像データ処理装置を提供することを目的とする。
【課題を解決するための手段】
【００１２】
本発明の１実施形態においては、磁気テープより通常再生用画像データと特殊再生用画像データとを再生し、外部の蓄積装置に出力する再生装置であって、蓄積装置からの画像内容取得コマンドに応じて磁気テープを始端位置まで搬送した後、始端位置より磁気テープを通常再生時よりも高速な所定速度で搬送しながら特殊再生用画像データを再生して蓄積装置に送信する再生装置を提供する。
【００１３】
本発明の他の実施形態においては、磁気テープより通常再生用画像データと特殊再生用画像データとを再生し、外部の蓄積装置に出力する再生装置であって、蓄積装置からの画像内容取得コマンドに応じて磁気テープを終端位置まで搬送した後、終端位置より磁気テープを通常再生時よりも高速な所定速度で通常再生時とは逆方向に搬送しながら特殊再生用画像データを再生して蓄積装置に送信する再生装置を提供する。
【００１４】
本発明のさらに他の実施形態においては、磁気テープより通常再生用画像データと特殊再生用画像データとを再生する再生装置により再生された画像データを受信する装置であって、再生装置に対して画像内容取得コマンドを送信する送信手段と、画像内容取得コマンドに応じて再生装置により磁気テープの始端より再生された特殊再生用画像データを受信する受信手段と、受信手段により受信した特殊再生用画像データを蓄積する蓄積手段とを備える画像データ処理装置を提供する。
【００１５】
本発明のさらに他の実施形態においては、磁気テープより通常再生用画像データと特殊再生用画像データとを再生する再生装置と、再生された前記通常再生用画像データと特殊再生用画像データとを蓄積する蓄積装置と、を備える画像データ処理装置であって、蓄積装置からの画像内容取得コマンドに応じて磁気テープを始端位置まで搬送した後、始端位置より磁気テープを通常再生時よりも高速な所定速度で搬送しながら特殊再生用画像データを再生して蓄積装置に蓄積する画像データ処理装置を提供する。
【００１６】
本発明のさらに他の実施形態においては、磁気テープより通常再生用画像データと特殊再生用画像データとを再生し、蓄積装置に出力する画像データ処理装置であって、蓄積装置からの画像内容取得コマンドに応じて磁気テープを終端位置まで搬送した後、終端位置より磁気テープを通常再生時よりも高速な所定速度で通常再生時とは逆方向に搬送しながら特殊再生用画像データを再生して蓄積装置に蓄積する画像データ処理装置を提供する。  本発明のさらに他の実施形態においては、磁気テープより通常再生用画像データと特殊再生用画像データとを再生し、外部の蓄積装置に出力する再生方法であって、蓄積装置からの画像内容取得コマンドを受信するステップと、受信した画像内容取得コマンドに応じて磁気テープを始端位置まで搬送するステップと、始端位置より磁気テープを通常再生時よりも高速な所定速度で搬送するステップと、所定速度で搬送される前記磁気テープより特殊再生用画像データを再生するステップと、再生された特殊再生用画像データを蓄積装置に送信するステップと、を備えた再生方法を提供する。
【００１７】
本発明のさらに他の実施形態においては、磁気テープより通常再生用画像データと特殊再生用画像データとを再生し、外部の蓄積装置に出力する再生方法であって、蓄積装置からの画像内容取得コマンドを受信するステップと、受信した画像内容取得コマンドに応じて磁気テープを終端位置まで搬送するステップと、終端位置より磁気テープを通常再生時よりも高速な所定速度で通常再生時とは逆方向に搬送するステップと、逆方向に搬送される磁気テープより特殊再生用画像データを再生するステップと、再生された特殊再生用画像データを蓄積装置に送信するステップと、を備えた再生方法を提供する。
【００１８】
本発明のさらに他の実施形態においては、磁気テープより通常再生用画像データと特殊再生用画像データとを再生手段で再生し、再生された画像データを蓄積する画像データ処理方法であって、再生手段に対して画像内容取得コマンドを送信するステップと、画像内容取得コマンドに応じて再生ステップにより磁気テープの始端より再生された特殊再生用画像データを受信するステップと、受信手段により受信した特殊再生用画像データを蓄積手段に蓄積するステップとを備える画像データ処理方法を提供する。
【００１９】
本発明のさらに他の実施形態においては、磁気テープより通常再生用画像データと特殊再生用画像データとを再生手段で再生し、再生された画像データを蓄積する画像データ処理方法であって、再生手段に対して画像内容取得コマンドを送信するステップと、画像内容取得コマンドに応じて磁気テープを終端位置まで搬送するステップと、終端位置より磁気テープを通常再生時よりも高速な所定速度で通常再生時とは逆方向に搬送するステップと、逆方向に搬送される磁気テープより特殊再生用画像データを再生するステップと、再生された特殊再生用画像データを蓄積手段に順次蓄積するステップと、を備えた画像データ処理方法を提供する。
【発明の効果】
【００２０】
本発明によれば、ＰＣ（Personal Computer）等におけるアプリケーション側でデジタル記録ビデオテープレコーダ（Digital Video Tape Recorder：ＤＶＴＲ）にて記録した記録テープを編集する環境下において、編集する磁気テープに記録されている画像データの内容を容易に確認可能となる。
【発明を実施するための最良の形態】
【００２１】
＜実施形態１＞
図１に本発明の第１の実施形態に関わる再生装置および画像データ処理装置のシステム環境を示す。１はパーソナルコンピュータ（Personal Computer）ＰＣであり、標準的に、表示装置２、キーボード３、マウス４などの入出力機器が接続される。また、５はデジタル記録ビデオテープレコーダ（Digital Video Tape Recorder）ＤＶＴＲであり、カメラ一体型ＤＶＴＲであってもよい。
【００２２】
ＤＶＴＲ５は、例えばＩＥＥＥ１３９４ケーブル７でＰＣ１と接続されており、両者間でＭＰＥＧ２データをトランスポートストリーム（ＴＳ）の形態で送受信することができる。
【００２３】
本発明の実施形態において、ＤＶＴＲ５は上記の特許文献２に記載された構成と同様、動画像データがＭＰＥＧ方式で符号化されて記録され、またＭＰＥＧ方式で符号化されて記録された動画像データを再生することが出来る。
【００２４】
更に、ＤＶＴＲ５は通常再生用画像データとは別に、特殊再生用画像データを記録することが出来、また特殊再生用画像データが記録された磁気テープＴ上の多数の傾斜した磁気トラックより特殊再生用画像データを再生することが出来る。特殊再生用画像データは、通常再生用画像データより一部の画面を抽出して生成される。そして、ＰＣ１からのコマンドに応じて通常再生用画像データ、及び特殊再生用画像データの両画像データを再生し、ＩＥＥＥ１３９４ケーブル７を介してＰＣ１に送信する機能を持つ。
【００２５】
ＰＣ１はＣＰＵ（Central Processing Unit）１０、ＲＯＭ（Read Only Memory）１４、ＲＡＭ（Random Access Memory）１５を有する。これらは基本的に半導体素子で構成された半導体集積回路として構成され、バス１６を介して互いに接続される。さらに、内蔵されたＨＤＤ（Hard Disk Drive）１３が設けられ、ＨＤＤ１３に収納される磁気デイスクに大量のデータやプログラムを書き込み、また読み出すことが出来るように構成されている。
【００２６】
また、表示装置２、キーボード３、マウス４等は、インターフェースＩ／Ｆ１１を介してバス１６に接続される。ＰＣ１はこれ以外の周辺機器に関しても各種のインターフェースを設けて接続でき、色々な形で各種周辺機器との間でデータやプログラムのやり取りが可能である。
【００２７】
本発明の実施の形態においては、ＩＥＥＥ１３９４インターフェース１２が設けられ、ＩＥＥＥ１３９４インターフェースケーブル７を介してＤＶＴＲ５と接続されている。したがって、画像データや各種のコマンドのやり取りがＤＶＴＲ５との間で可能となるように構成されている。
【００２８】
通常、ＤＶＴＲ５は磁気テープＴが収納されたテープカセット６を用いる。図１０にＤＶＴＲ５の要部の構成を示す。図１０において、磁気テープＴは、案内ドラム５−１の周囲にガイドされる。案内ドラム５−１への捲きつけ角度は、１対の案内ガイド５−３により決定される。案内ドラム５−１には、磁気テープＴに対して傾斜した磁気トラックを形成する複数の回転磁気ヘッド５−２が設けられる。複数の回転磁気ヘッド５−２は、記録再生回路５−８に図示しない回転トランスを介して接続される。
【００２９】
記録再生回路５−８は、端子５−９を介して記録信号を処理して複数の回転磁気ヘッド５−２に供給すると共に、また、複数の回転磁気ヘッド５−２から再生された再生信号を処理して端子５−９を介して出力する。また、磁気テープＴは、キャプスタン５−４及びピンチロラーラ５−５により走行速度および方向を決定することが可能とされる。キャプスタン５−４はキャプスタンモータ５−６により駆動される。図示はしないが、磁気テープＴの両端部は、テープカセット６のテープリールに係止されており、各テープリールはリールモータにより駆動されるが、ここでは省略する。キャプスタンモータ５−６はモータ駆動回路５−７で制御される。また、モータ駆動回路５−７および記録再生回路５−８は、端子５−１１に制御信号を外部から受けた制御回路５−１０により制御される。
【００３０】
以上のようにして、ＤＶＴＲ５に装填されたテープカセット６に収納された磁気テープＴに、回転磁気ヘッド５−２で、傾斜した磁気トラックを形成して画像データを記録する。また、磁気テープＴの傾斜した記録磁気トラックを回転磁気ヘッド５−２で走査して記録された画像データを再生する。
【００３１】
たとえば、ＰＣ１の内蔵されたＨＤＤ（Hard Disk Drive）１３には、たとえば、本願の画像データ処理装置の１例の実施形態を実行するためのプログラムが記録されており、このプログラムの実行により以下に説明する動作が可能となる。
【００３２】
すなわち、ユーザーは、まずこのプログラムを実行させる。このプログラムの実行後において、ＤＶＴＲ５で記録した記録媒体である磁気テープＴの動画像データを編集する際、ＰＣ１からＤＶＴＲ５に対してＩＥＥＥ１３９４インターフェースケーブル７経由でＦＣＰ（Function Control Protocol）コマンドを送出する。
【００３３】
図２は本願の画像データ処理装置における１実施形態の動作を表すフローチャートである。図１に示す本願の１実施形態において、例えばユーザーがＰＣ１を操作する入力に対して、「記録内容取得コマンド」ボタンの割り当てを行う。このボタンの割り当ては、キーボード３からの入力に対して割り当ててもよい。さらには、図１の表示装置２に表示されたＧＵＩ（Graphic User Interface）２１のボタン２２をマウス４でクリックするようにしても可能である。
【００３４】
そして、記録済み磁気テープＴの編集前に、編集の対象となる磁気テープＴ上に記録された内容を確認する場合、この「記録内容取得コマンド」の割り当てられたキーボード３のキー、または表示装置２に表示されているＧＵＩ２１上のボタン２２をマウス４で押す。すると、図２のフローチャートに示すように、ステップＳ２０で、ＰＣ１からＤＶＴＲ５に対してＩＥＥＥ１３９４インターフェースケーブル７経由で磁気テープＴの「巻戻しコマンド（Rewind Command）」が送信される。
【００３５】
ＰＣ１からの「巻戻しコマンド」を受信したＤＶＴＲ５は、ステップＳ２１でリールモータ（図示せず）を駆動して、テープカセット６内の磁気テープＴを現在停止している現在位置から始端位置まで高速に巻戻す。巻戻し動作の開始後、ステップＳ２２で巻戻し完了をチェックする。磁気テープＴの巻戻しが完了し、磁気テープＴの始端位置になって磁気テープＴの走行が止まると、ステップＳ２３でＤＶＴＲ５は「巻戻し完了通知」をＰＣ１に送信する。
【００３６】
次に、ＰＣ１はＤＶＴＲ５からの「巻戻し完了通知」を受信すると、次にステップＳ２４で示すように、ＤＶＴＲ５に対してＩＥＥＥ１３９４インターフェースケーブル７経由で「高速再生コマンド（Fast Playback Command）」を送信する。
【００３７】
ＤＶＴＲ５は「高速再生コマンド」を受信すると、巻戻された磁気テープＴの始端位置から磁気テープ終端位置まで、通常再生速度よりも高速な所定の速度で磁気テープＴを走行させながら、ステップＳ２５にあるように、回転磁気ヘッド（図示せず）で前述の特殊再生用の画像データの記録されている記録領域を走査して特殊再生用の画像データを再生する。ＤＶＴＲ５は再生した特殊再生用の画像データを、ステップＳ２６に示すようにＩＥＥＥ１３９４インターフェースケーブル７経由でＰＣ１に送信する。ＰＣ１では、ステップＳ２７で示すように、受信した特殊再生用の画像データを内蔵したＨＤＤ（ハードデイスクドライブ）１３などに蓄積する。
【００３８】
本発明の実施形態においては、ＤＶＴＲ５から送信された特殊再生用の画像データの各画面には、対応する通常再生用データの記録位置（磁気トラック）の情報が付加されており、この位置情報も特殊再生用の画像データと共にＰＣ１のＨＤＤ１３に蓄積される。
【００３９】
ＤＶＴＲ５による磁気テープＴの高速再生が終端位置まで終了したかをステップＳ２８で常に監視し、磁気テープＴの終端位置まで高速再生が完了すると、ＤＶＴＲ５は高速再生動作を終了し、ステップＳ２９で「高速再生完了通知」をＰＣ１に送信する。ＰＣ１では、ＤＶＴＲ５からの「高速再生完了通知」を受けて特殊再生用の画像データの蓄積を完了する。
【００４０】
このように編集作業を開始する場合、ユーザーは「記録内容取得コマンド」をＰＣ１から発行するだけでよい。こうして、ユーザーに煩雑な操作を行わせることなく、記録した磁気テープＴの記録内容を示す特殊再生用の画像データをＤＶＴＲ５で高速再生してＰＣ１に効率的に取り込むことができる。
【００４１】
ＰＣ１で磁気テープＴの画像編集作業を行う際、磁気テープＴに記録されている画像データの情報を把握する一つの手段としてサムネイル画像表示が知られている。このサムネイル画像表示は磁気テープＴに記録された動画像データの情報をわかりやすくユーザーに知らしめるもので、通常、動画像データから適宜抜き出した複数の静止画が配列されたものであり、画像データの情報を把握するものとして有効である。
【００４２】
そこで、本発明の実施形態において、ＰＣ１が特殊再生用の画像データの蓄積を完了したあと、ユーザーがキーボード３やＧＵＩ２１を利用してサムネイル一覧画面表示の表示要求する。すると、本願の実施形態の画像データ処理装置は、図２のステップＳ２０に示す様に蓄積した特殊再生用の画像データに基づきサムネイル表示画面を生成し、ステップＳ２１で表示装置２のサムネイル画像表示部２３に表示するように動作する。
【００４３】
図３に生成したサムネイル表示画像の表示イメージの１例を示す。
【００４４】
図３において、２３−１は巻戻された磁気テープＴの始端位置から磁気テープＴの終端位置まで高速再生で再生した特殊再生用の画像データに基づいて生成したサムネイル表示画像であり、ＰＣ１の表示装置２のサムネイル画像表示部２３に表示される。
【００４５】
数字１、２、３、、、、８は磁気テープＴに記録された時間（記録された順番）を示し、数字の小さい方が時間的に早く磁気テープＴに記録された動画像に対するサムネイル画像を示す。ユーザーは生成されたサムネイル表示画像２３−１を見て、記録されている動画像データの内容を把握する。
【００４６】
サムネイル表示画像を生成する際、特殊再生用の動画像データの全てのフレーム画像を表示すると静止画像数が膨大すぎるため、多くのフレーム画像を間引いて取り出すことによりサムネイル表示画像を生成する。例えば特殊再生用の動画像データにおける数十フレームから数百フレームに１フレームの割合で画像データを抽出して静止画であるサムネイル表示画像を生成する。
【００４７】
以下、表示装置２に表示されたサムネイル表示画面を参照して編集用の動画像データを取り込む動作に関して、図４のフローチャートを参照して説明する。先ず、ユーザーはサムネイル表示画面を見ながら磁気テープＴ上の動画像データの取り込み開始位置（Cut-in）及び取り込み終了位置（Cut-out）をキーボード３やマウス４を用いて決定する。その後、ＰＣ１に動画像データのこれらの取り込みデータを入力する。この取り込み開始位置（Cut-in）、取り込み終了位置（Cut-out）はたとえば、各サムネイル画像データに付された時間信号（タイムコード）や、フレーム番号などの位置信号を入力することにより実行される。
【００４８】
ＰＣ１は、ユーザーからの編集用の画像データの取り込みの指示があると、ステップＳ４０のように、取り込み開始位置に指定された特殊再生用の画像データのフレームに対応した通常再生用画像データの記録トラックへの頭出し及び取り込み終了位置に指定された特殊再生用の画像データのフレームに対応した通常再生用データの記録トラックまでを通常に再生する「指定区間再生コマンド」をＤＶＴＲ５に送信する。
【００４９】
ＤＶＴＲ５は、「指定区間再生コマンド」をＰＣ１から受けると、ステップＳ４１に示すように、指定された取り込み開始位置まで磁気テープＴを高速で走行させた後、通常再生用の動画像データを磁気テープＴより再生する。そしてステップ４２に示すように、再生された動画像データを順次ＰＣ１に送信する。するとステップＳ４３に示すように、ＰＣ１は受信した通常再生用画像データを順次ＨＤＤ１３に蓄積する。
【００５０】
ＤＶＴＲ５はその後、取り込み停止位置までの通常の再生の完了がステップＳ４４で確認されるとＳ４５にて再生動作を停止する。こうして編集用の動画像データがＰＣ１のＨＤＤ１３に取り込まれる。このように蓄積された動画像データは、別に蓄積された動画像データと継ぎ合わされる等、編集用に供されることになる。
【００５１】
尚、特殊再生用の画像データを取り込む際、現在の磁気テープＴの位置が磁気テープ終端位置に近い場合には、始端位置まで磁気テープＴを巻戻さず磁気テープ終端位置まで早送りし、その後逆方向に高速に磁気テープＴを走行させて高速巻戻し再生を行いながら特殊再生用の画像データを再生してＰＣ１に取り込むようにしてもよい。
【００５２】
たとえば、テープカセット６内の磁気テープＴの現在位置が始端位置に近いか、終端位置に近いかを知るには、磁気テープＴを走行させた時に磁気テープを駆動する両リール軸の回転速度を比較することにより判別できる。すなわち、回転数の低い方が巻き径が多いので、その方向に磁気テープＴを巻き取るほうが早く磁気テープＴの端部（始端または終端）に達することが出来る。
【００５３】
より正確に磁気テープの現在位置を知るには、磁気テープＴの巻装量（１時間テープまたは、２時間テープなど）と、両リールのハブ径、磁気テープＴの厚み等が決まれば、磁気テープを走行させたときの各リール軸の回転速度から、磁気テープＴの現在位置を求めることも出来る。
【００５４】
現在の磁気テープＴの停止位置が磁気テープＴの終端位置に近いと検出され、ＰＣ１に「記録内容取得コマンド」を入力した場合（アプリケーション上のコマンドを選択した場合）を想定する。この場合の動作を図５に示したフローチャートを用いて説明する。すなわち、まず、ステップ５０でＰＣ１からＤＶＴＲ５に対してＩＥＥＥ１３９４インターフェースケーブル７経由で「早送りコマンド（Fast Forward Command）」が送信される。ＤＶＴＲ５はステップＳ５１で「早送りコマンド」を受けると、まず、磁気テープＴの現在の停止位置から磁気テープの終端位置まで磁気テープＴを早送りする。
【００５５】
ステップＳ５２で、磁気テープＴの終端位置までの早送りの完了を監視して磁気テープＴの終端位置になって早送りの完了を確認したら、ステップＳ５３でＤＶＴＲ５はＰＣ１に早送りの完了の通知を送信する。すると今度は、ステップＳ５４に示すようにＰＣ１からＤＶＴＲ５に対してＩＥＥＥ１３９４インターフェースケーブル７経由で「高速巻戻し再生コマンド」を送信する。
【００５６】
ＤＶＴＲ５は「高速巻戻し再生コマンド」を受け取ると、ステップＳ５５に示すように、磁気テープＴの終端位置から磁気テープＴの始端位置に向かって磁気テープＴを高速に走行させながら回転磁気ヘッドで高速巻戻し再生動作を行う。高速巻戻し再生により得られた特殊再生用の画像データはステップＳ５６でＰＣ１に転送され、ステップＳ５７で順次ＨＤＤ１３に蓄積される。ＤＶＴＲ５の高速巻戻し再生動作はステップＳ５８で監視され、磁気テープＴの始端位置または動画像データが再生されなくなったら完了したものとして、ＤＶＴＲ５はステップＳ５９でＰＣ１に高速巻戻し再生完了通知を送信する。
【００５７】
この動作では、終端位置から磁気テープＴの始端位置に向かって回転磁気ヘッドで高速巻戻し再生動作を行うので、再生される画像データは磁気テープＴの記録時間に対し時間的に逆方向に、すなわち時間が戻る方向に配列された画像データとなる。その結果、ＰＣ１にて取得した画像データも時間的に後から磁気テープＴに記録された情報から順に取得することとなる。従って、得られた特殊再生用の画像データも時間的に逆方向に、すなわち時間が戻る方向に配列された画像データから取得したものになる。
【００５８】
このときの特殊再生用画像データに基づいて生成したサムネイルの表示イメージを図３の２３−２に示す。すなわち、２３−２は磁気テープＴの終端位置から磁気テープＴの始端位置に向かって高速再生して得られた特殊再生用画像データの取得順に基づいて生成したサムネイル画像を示す。数字１、２、３、、、、、８は磁気テープＴに記録された時間（記録された順番）を示し、数字の小さい方が時間的に早く磁気テープＴに記録された画像に対するサムネイルを示す。
【００５９】
この場合、取得した画像データの情報からＰＣ１にて生成するサムネイル画像２３−２は時間的に後から磁気テープＴに記録された情報に基づいて生成されたものである。したがって、生成されるサムネイルは、８、７、６、、、、、１という順番で表示され、ユーザーに対する情報の提供形態としては、取り扱いにくく、ユーザーフレンドリーではない情報の提供形態となってしまう。
【００６０】
そこで、本願の実施形態にあっては、サムネイル画像表示の際には蓄積された高速巻戻し再生動作により取得した特殊再生用画像データの中から選ばれたサムネイル画像の画像データに含まれるSearch Packet Data内のＥＴＮ（Extended Track Number）に基づいて表示させる。これにより、記録時間経過に沿った時系列のサムネイル画像２３−３が可能となり、ユーザーは磁気テープＴにおける高速再生時の再生方向を意識することなく、更に違和感なく配列されたサムネイ表示画像を得ることができる。
【００６１】
すなわち、図５のステップＳ６０で生成されたサムネイル表示画像のＥＴＮをそれぞれ検出して、ステップＳ６１で記録時の時間順序に並び替える。こうして並びかえられたサムネイル画像は記録時間経過に沿った時系列のサムネイル画像２３−３としてステップＳ６２で表示装置２に表示される。
【００６２】
以上のようにして、現在の磁気テープＴの停止位置が磁気テープＴの始端位置、あるいは終端位置のうち近い方から高速再生動作を行い、前述のような処理を行う。
【００６３】
また、図１に示すような本願の１実施形態における画像データ処理装置の環境下においてユーザーの直接の操作に限定されることはない。すなわち、ＤＶＴＲ５に磁気テープＴを収納するカセット６の装填時、あるいはＤＶＴＲ５の電源投入時をトリガーとして上記のように磁気テープＴの始端位置からあるいは終端位置から高速再生を行い、ＰＣ１で編集に必要な画像データの情報を取得してもよい。
【００６４】
また、更に画像データの情報取得のために高速再生動作の効率を上げるため、記録されていない磁気テープＴの区間に対してはＰＣ１からＤＶＴＲ５に対してＩＥＥＥ１３９４インターフェースケーブル７経由で「早送りコマンド」の送出する。
＜実施形態２＞
たとえば図６に示すように、磁気テープＴにおいて、未記録領域３０３に対しては記録されている情報すなわち取得する情報がないため、ＤＶＴＲ５は正確な再生動作を行う必要がない。しかしながら、磁気テープＴに信号が記録されているのかまたはいないのかを知るためには、早送り時や巻戻し時にも再生動作が必要となる。
【００６５】
したがって、ＤＶＴＲ５は、まず装填されたテープカセット６に収納された磁気テープＴの現在の停止位置３０１（図中、▲印）から、磁気テープＴの終端位置ではなく、磁気テープＴの記録終端部（記録ＥＮＤポイント、図中、△印）３０２まで磁気テープＴを再生しつつ早送りする。その後、磁気テープＴの記録終端部（記録ＥＮＤポイント）３０２から、磁気テープＴの始端位置に向かって巻戻し高速再生を行ってもよい。
【００６６】
こうすることにより、場合によっては磁気テープＴの停止位置３０１から磁気テープＴの終端位置まで早送りするよりも時間が短くて済み、効率的に情報取得のための高速再生動作を早く行うことができる。
【００６７】
以上のように、ユーザーが記録テープを編集する際に煩雑な操作を行うことなく磁気テープＴに記録された内容を知ることができ、編集作業時の手間が省くことができ、編集作業の効率が上がる。
＜実施形態３＞
本発明の他の実施形態について説明する。
【００６８】
図７に本実施形態における記録媒体である磁気テープＴの記録状態を示す。図中４０１は記録媒体である磁気テープＴにおいて記録されている領域、４０２は磁気テープＴにおける未記録領域である。図７のように記録媒体である磁気テープＴ上に記録領域と未記録領域が混在しているものとする。
【００６９】
図１の環境下において、図７に示す磁気テープＴを収納するカセット６がＤＶＴＲ５に装填されており、磁気テープＴに記録された内容をＰＣ１で編集作業を行う際の動作を以下に示す。
【００７０】
ユーザーは磁気テープＴを編集する際、ＰＣ１からＤＶＴＲ５に対してＩＥＥＥ１３９４インターフェースケーブル７経由でＦＣＰ（Function Control Protocol）コマンドを送出する。例えば、ＰＣ１において「記録内容取得」ボタンを設け、ユーザーは編集前に、編集したい磁気テープＴ上に記録された内容を取得する構成としてもよい。
【００７１】
例えば、対応するボタンを押した場合、まずＰＣ１からＤＶＴＲ５に対してＩＥＥＥ１３９４インターフェースケーブル７経由で「巻戻しコマンド」を送信する。「巻戻しコマンド」を受信したＤＶＴＲ５は、図７のように記録された磁気テープＴを始端位置まで巻戻す。その後の動作は、図８のフローチャートを用いて説明する。
【００７２】
その後、ＤＶＴＲ５はステップＳ８０で、巻戻された磁気テープＴの始端位置から磁気テープＴの終端位置まで第１の磁気テープの速度で高速再生を行う。このとき、図７において、磁気テープＴの記録領域４０１では再生信号が得られるので、ステップＳ８１で監視して第１の高速度での特殊再生（例えば、通常速度の８倍速での再生動作）を継続して行う。
【００７３】
しかし、磁気テープＴが進んで磁気テープＴの未記録領域４０２に入ると取得する情報が存在しないので再生信号が得られなくなる。再生信号が得られなくなったことをステップＳ８１で検出すると、今度はステップＳ８２に示すように磁気テープＴの走行速度を速めて第２の高速度再生（例えば、通常速度での２４倍速での再生動作）を行う。
【００７４】
そして次の記録領域４０１に入ったことが再生信号が得られたことがステップＳ８３で確認されると、再びステップＳ８０にもどり第１の高速度での特殊再生（例えば、通常速度の８倍速での再生動作）を行う。尚、ステップＳ８３で再生信号が得られないとき、次のステップＳ８４で高速再生動作の完了をチェックする。たとえば、磁気テープＴが始端位置もしくは終端位置になったことを検出すればよい。
【００７５】
まだ、完了でない場合には再びステップＳ８２に戻るが、完了であればステップＳ８５に進み動作を停止する。尚、ステップＳ８０で再生される画像データはステップＳ８６に示すようにＤＶＴＲ５からＰＣ１に送られるが、その後の動作は先に説明した実施形態の動作と同様であるので説明を省略する。
【００７６】
このように、磁気テープＴの記録状態に応じて再生速度（磁気テープＴの走行速度）を任意に変えることにより、効率よくＰＣ１のアプリケーションプログラムに従って編集作業に必要な情報を取得することができる。
【００７７】
また、図９に示すように記録媒体である磁気テープＴにおいて、記録領域と未記録領域が密に混在している磁気テープＴの編集を行う場合について以下に説明する。図９において、ハッチング部分は磁気テープＴ上の記録領域を示し、白色部は磁気テープＴ上の未記録領域を示す。図９中の５０１（図中、▲印）および５０２（図中、△印）は、磁気テープＴの記録領域における記録開始点を示す。
【００７８】
図１の環境下において、図９に示す記録状態の磁気テープＴを収納するカセット６がＤＶＴＲ５に装填されており、磁気テープＴに記録された内容をＰＣ１で編集作業を行う為に取り込む際の動作を以下に示す。
【００７９】
ユーザーは磁気テープＴを編集する際、ＰＣ１からＤＶＴＲ５に対してＩＥＥＥ１３９４インターフェースケーブル７経由でＦＣＰ（Function Control Protocol）コマンドを送出する。例えばＰＣ１において、「記録内容取得」ボタンを設けることにより、ユーザーは編集前に、編集したい磁気テープＴ上に記録された内容を取得する。例えばボタンを押した場合、ＰＣ１からＤＶＴＲ５に対してＩＥＥＥ１３９４インターフェースケーブル７経由で「巻戻しコマンド」を送信する。
【００８０】
「巻戻しコマンド」を受信したＤＶＴＲ５は、まず、記録した磁気テープＴを始端位置まで巻戻す。「記録内容取得」ボタンを押した場合には、その後ＤＶＴＲ５は巻戻された磁気テープＴの始端位置から磁気テープＴの終端位置まで高速再生動作を行う。
【００８１】
このとき、例えば、再生される特殊再生用の画像データに含まれる Search SyncBlock Header の、Search Packet Data 内のＲＥＣＳＴ（Recording Start Point）ビットに基づいて記録開始点５０１および５０２を検出する。そして、該記録開始点５０１および５０２において、記録開始点が密に存在する領域５０１（図中、▲印）は記録部分が連続しているものとして第１の高速再生動作を行い（例えば、８倍速）、記録開始点が粗く存在する領域５０２（図中、△印）および未記録領域は第２の高速再生動作を行う（例えば、２４倍速）。
【００８２】
このように、磁気テープＴ上の記録領域と未記録領域の粗密に応じて再生速度を任意に変えることにより、効率よく記録部分における編集作業に必要な情報を確実に取得することができる。
【００８３】
また、図１の環境下においてサーチを行い、ＰＣ１で必要情報を取得した後、ＤＶＴＲ５は必ず磁気テープＴを始端位置まで巻戻す、あるいは磁気テープＴの終端位置からの高速再生する場合を考える。その場合は、高速再生動作の終了後、そのまま磁気テープＴの始端位置で待機する構成とする。このように構成することにより、記録された磁気テープＴを再度編集する際、記録された磁気テープＴを始端位置から磁気テープＴの終端位置まで全部高速再生し易くなり、磁気テープＴからの情報取得が容易になる。
【図面の簡単な説明】
【００８４】
【図１】本発明による画像データ処理装置の１つの実施形態が示された構成図の例を示す。
【図２】図１に示す画像データ処理装置の１動作の例を表すフローチャートを示す。
【図３】表示装置に表示されるサムネイル表示画像の例を示す。
【図４】図１に示す画像データ処理装置の更に他の動作の例を表すフローチャートを示す。
【図５】図１に示す画像データ処理装置の他の動作の例を表すフローチャートを示す。
【図６】本発明の実施形態における動作を説明するための磁気テープと再生動作の概念図を示す。
【図７】本発明の他の実施形態における動作を説明するための磁気テープと再生動作の概念図を示す。
【図８】図１に示す画像データ処理装置の更に他の動作の例を表すフローチャートを示す。
【図９】本発明の更に他の実施形態における動作を説明するための磁気テープと再生動作の概念図を示す。
【図１０】本発明の実施形態におけるＤＶＴＲの要部の構成を示す。
【符号の説明】
【００８５】
１  ＰＣ
２  表示装置
３  キーボード
４  マウス
５  ＤＶＴＲ
６  テープカセット
７  ＩＥＥＥ１３９４インターフェースケーブル
１２  ＩＥＥＥ１３９４Ｉ／Ｆ
２３−１〜２３−３  サムネイル表示画像
Ｔ  磁気テープ
【図１】
2007102944.tif 000003
【図２】
2007102944.tif 000004
【図３】
2007102944.tif 000005
【図４】
2007102944.tif 000006
【図５】
2007102944.tif 000007
【図６】
2007102944.tif 000008
【図７】
2007102944.tif 000009
【図８】
2007102944.tif 000010
【図９】
2007102944.tif 000011
【図１０】
2007102944.tif 000012